(57)【要約】【課題】ＲＦＩＤタグのＩＤ認証部と生体特徴検知部を備えた人体通信カードホルダ、人体通信カードホルダとの間での人体通信を介して用者の本人認証を、生体認証を付加して確実に行うＲＦＩＤタグ認証システムを提供する。【解決手段】人体通信カードホルダ１８は、ＲＦＩＤタグを有するＩＣカード３１のＩＤ情報を読み取る読取り手段（４１，４２）と、利用者である人１１の指紋特徴部を検知する指紋センサ３６と、ＩＤ情報と指紋特徴情報を人体通信４７，２１で送信する人体通信手段（４５，４６）を備える。ＲＦＩＤタグ認証システムは、人体通信カードホルダから送信されるＩＤ情報と生体の特徴情報を受信し、登録済みの各対応情報と照合し、照合に基づく判断結果により制御信号を出力する制御装置１６と、制御信号に基づき動作制御される制御対象物（電気錠１５）から構成される。【選択図】図５
2013148954.tif 000002
【特許請求の範囲】
【請求項１】
ＲＦＩＤタグを有するＩＣカードのＩＤ情報を読み取る読取り手段と、
利用者の生体特徴部を検知する検知手段と、
前記読取り手段で読み取った前記ＩＤ情報と前記検知手段で検知した前記生体の特徴情報を人体通信で送信する人体通信手段と、
を備えたことを特徴とする人体通信カードホルダ。
【請求項２】
前記ＩＣカードを出し入れ自在に収納する収納部を有することを特徴とする請求項１記載の人体通信カードホルダ。
【請求項３】
前記検知手段は指紋センサであることを特徴とする請求項１または２記載の人体通信カードホルダ。
【請求項４】
前記読取り手段で読み取った前記ＩＤ情報と前記検知手段で検知した前記生体の前記特徴情報のそれぞれを登録済みの各対応情報と照合し、照合結果に基づく判断結果情報を出力する判断手段を備え、
前記人体通信手段は前記判断結果情報を送信することを特徴とする請求項１記載の人体通信カードホルダ。
【請求項５】
請求項１〜３に記載した人体通信カードホルダと、
前記人体通信カードホルダの前記人体通信手段から送信される前記ＩＤ情報と前記生体の前記特徴情報を人体通信を経由して受信する人体通信受信手段と、
前記人体通信受信手段で受信した前記ＩＤ情報と前記生体の前記特徴情報のそれぞれを登録済みの各対応情報と照合し、照合結果に基づく判断結果情報によって制御信号を出力する判断制御手段と、
前記判断制御手段から出力される前記制御信号に基づき動作制御される制御対象物と、
から構成されることを特徴とするＲＦＩＤタグ認証システム。
【請求項６】
請求項４に記載した人体通信カードホルダと、
前記人体通信カードホルダの前記人体通信手段から送信される前記判断結果情報を人体通信を経由して受信する人体通信受信手段と、
前記人体通信受信手段で受信した前記判断結果情報に基づき制御信号を出力する制御手段と、
前記制御手段から出力される前記制御信号に基づき動作制御される制御対象物と、
から構成されることを特徴とするＲＦＩＤタグ認証システム。
【発明の詳細な説明】
【技術分野】
【０００１】
本発明は、人体通信カードホルダおよびＲＦＩＤタグ認証システムに関し、特に、ＲＦＩＤタグ（ＩＣカード）のＩＤ認証と利用者の生体認証に資する構成を有した人体通信カードホルダ、および、この人体通信カードホルダとの間の人体通信を介してＩＤ認証と併せて本人の生体認証を行うことができるＲＦＩＤタグ認証システムに関する。
【背景技術】
【０００２】
例えば特定の関係者のみが入出できる部屋の認証システムであって、かつＲＦＩＤタグ（無線ＩＣタグ）を使用した認証システムでは、ＲＦＩＤタグを備えた非接触ＩＣカード（本明細書等では「ＩＣカード」と記す）をドアの近くに設置されたＩＣカードリーダ・ライタの端末の箇所でかざすと、ＲＦＩＤタグのＩＤ情報をＩＣカードリーダ・ライタが読取り、制御用コンピュータが当該ＩＤの適否を判断し、入室を許可する。このようなＲＦＩＤタグ認証システムの場合には、本来の正当な権利を有する関係者がＩＣカードを他者に貸与すると、正当な権利を有しない他者も入室可能になり、非関係者の入室阻止に係るセキュリティーを保つことができなくなる。
【０００３】
上記において、関係者の指紋等の認証（生体認証）を行って個人を特定し、その入室の許可・不許可を判断する認証システムも従来から存在している。
【０００４】
また近年では人体通信を利用した各種のシステムが知られている。例えば、下記の特許文献１に開示された人体通信の指紋認証方法や、特許文献２に開示された電界通信による自動販売機の電子決済システムでは、指紋認証の方法を組み合わせた技術的アイデアが提案されている。
特許文献１に開示される指紋認証の方法は人体通信装置を携帯した２人の使用者の間の人体接触に基づく人体通信での指紋認証を行う方法である。特許文献２に開示される自動販売機の電子決済システムは、自動券売機と利用者の携帯する電界通信端末との間での人体通信を経由して行われる電子決済システムであって、利用者が自動券売機の商品選択ボタンに設けられた指紋センサにタッチしたときに、自動券売機側で指紋情報を取得し、この指紋情報と電界通信端末に記憶された指紋情報とを電界通信端末で照合し、同一と判断されたときに決済処理を行うように構成されている。
【先行技術文献】
【特許文献】
【０００５】
【特許文献１】特開２００９−２６６２３４号公報
【特許文献２】特開２０１０−１０８２３４号公報
【発明の概要】
【発明が解決しようとする課題】
【０００６】
上記の人体通信モジュールによれば、この人体通信モジュールが他者に貸与されたり、あるいは盗難される場合があると、不正に使用される可能性が生じ、セキュリティーを保つことができないという問題が提起される。
また特許文献１，２に開示される技術も、人体通信機器そのものに指紋認証等の生体認証のためのセンサ等が装備された構成は開示されていない。
【０００７】
さらに人体通信を利用した人体通信認証システムに関しては、近年、特定の関係者がＩＤを格納した人体通信モジュールを所持し、例えば当該関係者が意図的に特定の部屋のドアの前に立つと、ドアの前の床内に設けられた床電極（人体通信アンテナ）と人体通信モジュールとの間で人体を介して通信を行い、認証システム側の制御用コンピュータがＩＤを取り込み、適否を判断し、入室を許可するような構成が要望されている。加えて、この構成と上記の生体認証に係る構成とが組み合わせられ、セキュリティーをさらに高めることが技術的に望まれている。
【０００８】
本発明の目的は、上記の課題に鑑み、利用者に携帯される人体通信機器であって、当該人体通信携帯機器にＲＦＩＤタグのＩＤ認証と当該利用者の生体認証に資する構成を備えた極めて有用な人体通信カードホルダを提供することにある。
また本発明の目的は、上記の人体通信カードホルダとの間での人体通信を介して人体通信カードホルダを所持する利用者の本人認証を、生体認証を付加することにより、確実に行うことができ、セキュリティーを向上することができるＲＦＩＤタグ認証システムを提供することにある。
【課題を解決するための手段】
【０００９】
本発明に係る人体通信カードホルダおよびＲＦＩＤタグ認証システムは、上記の目的を達成するため、次のように構成される。
【００１０】
第１の人体通信カードホルダ（請求項１に対応）は、ＲＦＩＤタグを有するＩＣカードのＩＤ情報を読み取る読取り手段と、利用者の生体特徴部を検知する検知手段と、読取り手段で読み取ったＩＤ情報と検知手段で検知した生体の特徴情報を人体通信で送信する人体通信手段とを備えることによって構成される。
【００１１】
上記の人体通信カードホルダでは、人体通信を利用してＲＦＩＤタグのＩＤ認証を行うことができる人体通信携帯機器であり、さらに機器所有者を特定できる生体認証機能部を備えるように構成することで、不正使用の可能性を排除し、利用するシステムでのセキュリティーを高めることが可能となる。
【００１２】
第２の人体通信カードホルダ（請求項２に対応）は、上記の構成において、好ましくは、ＩＣカードを出し入れ自在に収納する収納部を有することを特徴としている。この構成では、ＲＦＩＤタグを内蔵するＩＣカードを収納する収納部を有し、人体通信カードホルダ自体は人体通信機能部と生体認証機能部を備えていると同時に、ＩＣカードを装着できるＩＣカード付属物として形成され、ＩＤ認証と生体認証を同時に行えると共に使用上の利便性を高めることが可能となる。
【００１３】
第３の人体通信カードホルダ（請求項３に対応）は、上記の構成において、好ましくは、検知手段は指紋センサであることを特徴としている。この構成では、生体認証として指紋認証が用いられ、ＩＣカードを所有する利用者は人体通信カードホルダの指紋センサの設置箇所に指を接触させるだけで簡単に指紋認証を行うことが可能となる。
【００１４】
第４の人体通信カードホルダ（請求項４に対応）は、上記の構成において、好ましくは、読取り手段で読み取ったＩＤ情報と検知手段で検知した生体の特徴情報のそれぞれを登録済みの各対応情報と照合し、照合結果に基づく判断結果情報を出力する判断手段を備え、人体通信手段は判断結果情報を送信することを特徴としている。この構成によれば、人体通信カードホルダ自体において判断手段を備えており、装着されたＩＤカードからＩＤ情報読取り手段が読み取ったＩＤ情報と検知手段で検知した利用者の生体特徴部の情報とを、判断手段で、登録済みの各対応情報を照合し、これにより判断結果情報を作成し、この判断結果情報を利用システム側に人体通信手段を介して送信するようにしている。
【００１５】
第５のＲＦＩＤタグ認証システム（請求項５に対応）は、上記の第１から第３の人体通信カードホルダと、人体通信カードホルダの人体通信手段から送信されるＩＤ情報と生体の特徴情報を人体通信を経由して受信する人体通信受信手段と、人体通信受信手段で受信したＩＤ情報と生体の特徴情報のそれぞれを登録済みの各対応情報と照合し、照合結果に基づく判断結果情報によって制御信号を出力する判断制御手段と、判断制御手段から出力される制御信号に基づき動作制御される制御対象物とから構成されている。この構成では、上記の人体通信カードホルダを利用したＲＦＩＤタグ認証システムであり、人体通信カードホルダから送信されるＩＤ情報と生体の特徴情報とを受信して、これらの情報と登録済みの対応情報とに基づいて制御に係る判断結果を生成し、判断結果に対応する必要な制御信号を生成する。
【００１６】
第６のＲＦＩＤタグ認証システム（請求項６に対応）は、上記の第４の人体通信カードホルダと、人体通信カードホルダの人体通信手段から送信される判断結果情報を人体通信を経由して受信する人体通信受信手段と、人体通信受信手段で受信した判断結果情報に基づき制御信号を出力する制御手段と、制御手段から出力される制御信号に基づき動作制御される制御対象物と、から構成されている。
【発明の効果】
【００１７】
本発明によれば、次の効果を奏する。
本発明に係る人体通信カードホルダによれば、ＩＣカード読取り機能部と生体特徴読取り機能部を備えかつ人体通信によりシステム側と通信を行う構成を有するため、正当な権利を有した人が自身が所有するＩＣカード（ＲＦＩＤタグ）を当該カードホルダに装着し、かつその時点での利用者の指紋等の生体特徴部を読み取らせることにより、ＩＤ情報の認証と併せて生体認証を行うことができ、セキュリティーシステムの信頼性を極めて向上することができる。
また人体通信カードホルダ側にＩＤ情報と生体情報の照合・判断を行うように構成によれば、システム側の変更を可能な限り少なくすることができ、高いセキュリティーを有するＲＦＩＤタグ認証システムを簡単に実現することができる。
本発明に係るＲＦＩＤタグ認証システムによれば、人体通信カードホルダとの間での人体通信を介して人体通信カードホルダを所持する利用者の本人認証を、人体通信カードホルダに生体認証を可能にする指紋センサ等の機能部を付加することにより、確実に行うことができ、セキュリティーを向上することができる。
【図面の簡単な説明】
【００１８】
【図１】本発明の実施形態に係る人体通信カードホルダの使用状況と、ＲＦＩＤタグ認証システムの適用例を示す図である。
【図２】本実施形態に係る人体通信カードホルダの外観図である。
【図３】本実施形態に係る人体通信カードホルダの正面図である。
【図４】本実施形態に係る人体通信カードホルダの背面図である。
【図５】本実施形態に係る人体通信カードホルダの内部の構成と、当該人体通信カードホルダおよびＲＦＩＤタグ認証システムの間の人体通信に関する構成とを示す図である。
【発明を実施するための形態】
【００１９】
以下に、本発明の好適な実施形態（実施例）を添付図面に基づいて説明する。
【００２０】
図１は、人１１がドア１２の前に立ち、このドア１１を開けて或る特定な部屋１３の中に入ろうとしている状態を示している。ドア１２は、ドアノブ１４の箇所に設けた電気錠１５により施錠されている。人１１は、電気錠１５の施錠状態を解除しなければ、ドア１２を開けて部屋１３の中に入れない。電気錠１５の施錠または施錠解除の動作は、制御装置１６からの制御信号１７（施錠信号または施錠解除信号）に基づいて制御される。電気錠１５の構成としては任意な市販のものが使用される。人１１は、例えば、特定な部屋１３の中に入る正当な権利を有した人である。この人１１は、特別なＩＣカードが装着された状態の人体通信カードホルダ１８を所有している。ＩＣカードはＲＦＩＤタグを内蔵し、ＲＦＩＤタグのメモリ内に人１１を特定するＩＤ情報を記憶している。さらに人体通信カードホルダ１８は、後述するように、人体通信装置と、生体特徴部である例えば指紋を検知するための指紋センサとを備えている。人１１が、ＩＣカードを装着した人体通信カードホルダ１８を手に所持した状態で、かつ指紋センサの接触箇所を自身の人差し指等で接触した状態で、ドア１１の前に立っているものとする。他方、ドア１１の外側の床１９の箇所には床電極２０が埋設状態で設置されている。床電極２０は人体通信用のアンテナとして機能する。人１１が、床電極２０を設置した床１９の上に立つと、床電極２０と、人体通信カードホルダ１８内の人体通信装置との間において、人１１の身体を通して通信状態が生じる。図１において、２１は、人１１の身体を介して人体通信が行われているときに発生する電界の状態を示している。床電極２０との間の電界２１に基づく人体通信によって、人体通信カードホルダ１８と制御装置１６との間でデータの送受が行われる。ドア１１の電気錠１５の動作状態を制御する制御装置１６は、人１１が所持する人体通信カードホルダ１８から、ＩＤ情報（ＦＲＩＤタグを認証するための情報）と人１１に関する指紋情報（生体の特徴部情報）とを受信し、これらの受信情報に基づいて電気錠１５の動作状態を制御する。以上のごとく、本実施形態に係るＲＦＩＤタグ認証システムは、ドア１１の開閉の許可・不許可に係る開閉制御に適用された例であり、かつＩＣカード（ＲＦＩＤタグ）のＩＤ認証と共に、併せて、利用者である人１１の生体情報の認証を行うように構成されている。人１１の生体情報の認証は、人体通信カードホルダ１８に指紋センサのごとき人１１の生体特徴部を検知する検知手段を付設することにより、実現可能となる。
【００２１】
次に、図２〜図４を参照して、人体通信カードホルダ１８の具体的な外部形態および内部構造について説明する。
人体通信カードホルダ１８の外形は、図２に示すように、厚みが薄く全体として扁平なカードホルダの形状をなし、かつ、正面から見た長方形形状のおける１つの短辺の部分にＩＣカード３１を出し入れ自在に装着することのできるスリット口３２を形成している。スリット口３２の壁部の一部には凹所３２ａが形成されている。人体通信カードホルダ１８の内部には、スリット口３２から挿入されたＩＣカード３１を収容する収容部３３が設けられている。図３に示すように、人体通信カードホルダ１８の正面形状はほぼ長方形である。人体通信カードホルダ１８の正面部には、ＩＣカードアンテナが内蔵される領域部３４が設けられている。ＩＣカードアンテナは、人体通信カードホルダ１８の内部に収容されたＩＣカード３１内のＲＦＩＤタグとの間でデータの送受を行うためのアンテナである。また図４に示すように、人体通信カードホルダ１８の背面部にはバッテリ収容部３５と指紋センサ３６が設けられている。指紋センサ３６は、例えばスワイプ式の指紋検知手段であり、人体通信カードホルダ１８の背面の表面に露出したセンサ読取り部に指先の指紋部分を接触して読み取らせると、当該指先の指紋を検知する。図４において、バッテリ収容部３５は、蓋により閉じられた状態で示されている。なお、図２〜図４では明確に示されていないが、人体通信カードホルダ１８の正面部と背面部の両側部分には、さらに、内蔵状態にて人体通信電極が設けられている。
【００２２】
図５を参照して、本実施形態に係る人体通信カードホルダ１８の内部構成と、当該人体通信カードホルダ１８およびＲＦＩＤタグ認証システムの間の人体通信に関する構成とを説明する。この実施形態の場合、ＩＣカード３１すなわちＲＦＩＤタグの認証、および指紋認証は、制御装置１６の側で実行される。
【００２３】
人体通信カードホルダ１８の内部には、受信入力部として、ＩＣカードアンテナ４１およびＩＣカードリーダ・ライタ４２と、指紋センサ３６とを備えている。指紋センサ３６の指紋読取り部は人体通信カードホルダ１８の背面部に露出している。人体通信カードホルダ１８の内部にＩＣカード３１が収容されると、ＩＣカード３１とＩＣカードアンテナ４１との間で無線通信が行われ、ＩＣカード３１のメモリに記憶されるＩＤ情報がＩＣカードリーダ・ライタ４２によって読み取られる。指紋センサ３６は、利用者である人１１がその指１１Ａの指紋部分を指紋センサ３６の指紋読取り部に接触すると、当該指紋を検知し、指紋の特徴情報を取得する。
【００２４】
４３は演算制御処理部であり、メモリ４４を備える。上記のごとくＩＣカードリーダ・ライタ４２で読み取られたＩＤ情報と、指紋センサ３６で検知された指紋の特徴情報とは、演算制御処理部４３に与えられる。演算制御処理部４３は、与えられたＩＣカード３１のＩＤ情報と、指１１Ａの指紋の特徴情報とを、人体通信変換回路４５に転送する。人体通信変換回路４５は、ＩＣカード３１のＩＤ情報と指１１Ａの指紋の特徴情報を人体通信データに変換し、人体通信電極４６に送る。人体通信データは、人体通信電極４６と床電極２０の間で、人１１の人体、および電界２１を経由して送信される。なお人体通信カードホルダ１８と人１１の人体との間も電界４７により通信が行われる。床電極２０を介して人体通信データを受信した制御装置１６は、当該人体通信データからＩＣカード３１のＩＤ情報と指１１Ａの指紋の特徴情報を抽出し、さらに、これらのＩＤ情報と指紋の特徴情報を、内蔵メモリに保存した対応する登録済みのＩＤ情報と指紋の特徴情報のそれぞれに照合し、ＩＤ情報と指紋の特徴情報が、それぞれ、対応する情報と一致するか否かを判断する。制御装置１６による照合判断結果において一致と判断された場合には、施錠状態を解除するための制御信号１７を生成し、電気錠１５に送り、電気錠の施錠状態を解除する。これにより、人１１はドア１２を開いて部屋１３の中に入ることができる。ドア１１が閉じられた場合には、再び自動的に電気錠１５は施錠される。制御装置１６による照合判断結果において不一致と判断された場合には、施錠状態を解除するための制御信号は生成されず、電気錠１５の施錠状態は保持される。この結果、ドア１２は開かず、人１１は部屋１３の中に入ることができない。
【００２５】
なお人体通信カードホルダ１８の内部には、前述した通り、バッテリ収容部３５に収容されたバッテリ４８が設けられている。
【００２６】
以上の構成によれば、ドア１２の電気錠１５の施錠または施錠解除の制御に適用されたＲＦＩＤタグ認証システムにおいて、人体通信装置（人体通信変換回路４５および人体通信電極４６）とＩＣカードリーダ・ライタ４２と指紋センサ３６を備えた人体通信カードホルダ１８からＩＤ情報と指紋の特徴情報を人体通信を介してシステム側に送信し、システム側の制御装置１７でＩＤ認証と併せて、利用者である人１１の指紋認証を行うようにしたため、正当な権限のない第三者の不正な使用を確実に防止することができ、セキュリティーを高めることができる。
【００２７】
次に、本発明の他の実施形態に係る人体通信カードホルダ１８の内部構成と、当該人体通信カードホルダ１８およびＲＦＩＤタグ認証システムの間の人体通信に関する構成を説明する。ハードウェアとしての構成は図５に示した構成と基本的に同じである。この実施形態では、システム側の制御装置１６においてＩＤと指紋の照合および認証を行うのではなく、人体通信カードホルダ１８の側で照合および認証を行うように構成される点に特徴がある。その他の機能的な構成は図５で説明した上記の実施形態の構成と同じである。
【００２８】
図５を参照して説明する。この実施形態の場合の構成では、演算制御処理部４３に備えられたメモリ４４において、登録済みの上記のＩＣカード３１のＩＤ情報と人１１の指１１Ａの指紋の特徴情報とが予め保存されている。演算制御処理部４３は、ＩＣカードリーダ・ライタ４２と指紋センサ３６から与えられたＩＣカード３１のＩＤ情報および指１１Ａの指紋の特徴情報を、それぞれ、対応する登録済みのＩＤ情報および指紋の特徴情報と照合し、ＩＤ情報と指紋の特徴情報がそれぞれ対応する情報と一致するか否かを判断する。演算制御処理部４３による照合判断結果に係るデータは、人体通信変換回路４５、人体通信電極４６、電界４７、人１１の人体、電界２１、床電極２０を介して制御装置１６に送られる。制御装置１６は、人体通信カードホルダ１８から送られた照合判断結果に係るデータに基づいて電気錠１５の動作状態を制御する。
【００２９】
上記の構成によれば、人体通信カードホルダ１８側でＩＤ情報と指紋の特徴情報の認証を行うことができるために、システム側の制御装置１６等に変更を加える必要がなく、従来のＲＦＩＤタグシステムを利用することができ、ＲＦＩＤタグシステムの構築が容易になるという利点を有している。
【００３０】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３１】
本発明に係る人体通信カードホルダは、ＲＦＩＤタグ認証システムに適用され、ＩＤ情報読取り機能と共に生体認証読取り部を備えてＩＤ情報と生体認証を行える構成を可能にし、セキュリティーを高めるのに利用される。
【符号の説明】
【００３２】
１１          人
１１Ａ        指
１２          ドア
１３          部屋
１４          ドアノブ
１５          電気錠
１６          制御装置
１７          制御信号
１８          人体通信カードホルダ
１９          床
２０          床電極
２１          電界
３１          ＩＣカード
３２          スリット口
３３          収容部
３４          アンテナ領域
３５          バッテリ容器
３６          指紋センサ
４１          ＩＣカードアンテナ
４２          ＩＣカードリーダ・ライタ
４３          演算制御処理部
４４          メモリ
４５          人体通信変換回路
４６          人体通信電極
４７          電界
４８          バッテリ
【図１】
2013148954.tif 000003
【図２】
2013148954.tif 000004
【図３】
2013148954.tif 000005
【図４】
2013148954.tif 000006
【図５】
2013148954.tif 000007